(57)【要約】      （修正有）【課題】封緘金具等の封緘用資材の使用をやめ、箱組立時の作業性と廃棄時の分別作業性や環境問題を解決し、底面に相当の荷重がかかっても箱が開くことが防止できる複合ロックを備えた封緘力の高い野菜類の収納箱を提供する。【解決手段】先に閉じた前記底板形成用フラップ７の差込孔１５ａ、１５ａに、切込み１６ａ，１６ａが噛み合うように押し込むことで、前記短辺側のフラップ７の下に、略三角の係止爪部１４ａ，１４ｂが重なるように係合させてロックする（1次ロック）。続いて、底板形成用フラップ６，８を内側に押し込み、その後該フラップ６，８に設けた切込み１７ａに台形状のフラップの先端部５ａを押し込んで、底板形成用フラップ６，８の下で前記フラップの先端部５ａと底板形成用フラップ７の先端が突き合わせとなるようにする（２次ロック）。【選択図】図２
0003146574.tif 000002
【実用新案登録請求の範囲】
【請求項１】
長辺側の対向側板（１，３）と、短辺側の対向側板（２，４）と、これらの対向側板の下端にそれぞれ連設された底板形成用フラップ（５，７，６，８）と、同じくこれらの対向側板の上端にそれぞれ連設された上蓋形成用フラップ（９，１１，１０，１２）とを備えて成る平面形状が矩形の厚紙製の包装箱であって、
前記長辺側の対向側板（１，３）の下端に連設された底板形成用フラップ（５，７）は短辺側の対向側板（２，４）の幅方向中央部において先端同士が互いに突き合わせ状態となるような大きさに形成し、その一方のフラップは先端部（５ａ）を台形状に形成し、他方のフラップは中央部で略Ｌ形または逆Ｌ形の向き合う１組の差込孔（１５ａ、１５ａ）を設けてなり、前記短辺側の対向側板の下端に連設された底板形成用フラップ（６，８）の一側辺に、そのフラップの先端角部を挟み１組の切込み（１６ａ，１６ｂ）を設けることで係止爪部（１４ａ，１４ａ）を設け、またそのフラップの先端中央位置に差込孔（１７ｂ，１７ｂ）を設けてなり、
先に閉じた前記底板形成用フラップ（７）の差込孔（１５ａ、１５ａ）に切込み（１６ａ，１６ｂ）を押し込むことで、先に閉じられた前記短辺側のフラップ（７）の下に係止爪部（１４ａ，１４ｂ）が重なるように係合させてロックし、底板形成用フラップ（６，８）に設けた差込孔（１７ａ，１７ｂ）に台形状フラップの先端部（５ａ）を押し込んで、底板形成用フラップ（６，８）の下で前記フラップの先端部（５ａ）と底板形成用フラップ（７）の先端が突き合わせとなるように構成したことを特徴とする底面複合ロック箱。
【請求項２】
底板形成用フラップ（７）の略Ｌ型または逆Ｌ形をした差込孔（１５ａ、１５ａ）のそれぞれの外側に、罫線を介して外れ止め片（１５ｂ，１５ｂ）を連設したことを特徴とする請求項１に記載の底面複合ロック箱。
【請求項３】
底板形成用フラップ（６，８）はその連設線と平行な罫線（１３，１３）より折り曲げうるように形成され、且つそのフラップ（６，８）の先端よりに設けた差込孔（１７ａ，１７ｂ）には切り込みとの間が短辺側のフラップ６，８の先端に向って広がるように罫線（１７ｃ，１７ｃ）を形成し、該罫線を介して外れ止め片（１７ｄ）を設けたことを特徴とする請求項１記載の底面複合ロック箱。
【考案の詳細な説明】
【技術分野】
【０００１】
本考案は、根菜類又は果実などの比較的重いものを収納するに好適な段ボール等の厚紙製包装箱に関するものである。
【背景技術】
【０００２】
従来、青果物を箱詰めして出荷する場合、包装箱には工場生産され組み立てた状態で納品されたＪＩＳ−Ｚ１５０７の０２０１形式（旧Ａ−１形）の箱が多用されている。この０２０１形式の箱は、長方形状の４側板を一方向に連接し、その４側板の上下に箱の底面及び天面を封鎖するため、それぞれ内フラップ及び外フラップを連接してなるほぼ直方体形状の箱である。この箱に大きさが不揃いであったり、重量のある青果物をほぼ満杯に収納して出荷されるので、商品を収納する際には内外フラップで簡単に閉じロックできるように構成し、また収納物の重みで底面のフラップが落ち込んだり、底面が開くことがないように抜けにくくし、フラップの重なった部分をステッチャとよばれる金具やテープ等の封緘用副資材により接合して出荷していた。
【考案の開示】
【考案が解決しようとする課題】
【０００３】
しかし、前述の組立作業は、封緘金具とその打込みマシンを用意する必要があるので工場で組み立てる必要があり、しかも封緘金具やテープ等の封緘用副資材のコストがかかる上、底面に封緘金具を打ち込むことにより、箱内の収納物を傷つけてしまうおそれがある。また使用後の金具は段ボール紙などの可燃物と一緒に焼却することができず、分別の必要がある。
【０００４】
一般に、量販店で青果物の箱は陳列時に開封作業と使用後の解体作業などでの安全性及び簡便性が要求されている。また、封緘用副資材によるゴミの発生が量販店などでは敬遠されている。さらにまた、使用済みの箱を古紙として再利用する場合にあっても不純物として紙片から金属を分別する手間がかかり、また、箱の開梱時や、開梱後の分別において金属針により怪我をすることもあり、取り扱いには特に注意を払わなければならないという不具合がある。
【０００５】
本考案の目的は、封緘金具やテープ等の封緘用副資材の使用を廃止して、箱組立時の作業性と廃棄時の分別作業性や環境問題を解決すると同時に、底面に相当の荷重がかかっても内外フラップが落ち込んで箱が開くことが防止できる複合ロックを備えた封緘力の高い野菜類の収納箱を提供するものである。
【課題を解決するための手段】
【０００６】
上記課題を解決するために本考案は、
長辺側の対向側板（１，３）と、短辺側の対向側板（２，４）と、これらの対向側板の下端にそれぞれ連設された底板形成用フラップ（５，７，６，８）と、同じくこれらの対向側板（１，３，２，４）の上端にそれぞれ連設された上蓋形成用フラップ（９，１１，１０，１２）とを備えて成る平面形状が矩形の厚紙製包装箱であって、
前記長辺側の対向側板（１，３）の下端に連設された底板形成用フラップ（５，７）は短辺側の対向側板（２，４）の幅方向中央部において先端同士が互いに突き合わせ状態となるような大きさに形成し、その一方のフラップは先端部（５ａ）を台形状に形成し、他方のフラップは中央部で略Ｌ形または逆Ｌ形の互いに向き合う１組の差込孔（１５ａ、１５ａ）を設けてなり、前記短辺側の対向側板（２，４）の下端に連設された底板形成用フラップ（６，８）は一側辺に、そのフラップの先端角部を挟み１組の切込み（１６ａ，１６ｂ）を設けることで係止爪部（１４ａ，１４ｂ）を設け、またそのフラップの先端中央位置には差込孔（１７ａ，１７ｂ）を設けてなり、
先に閉じた前記底板形成用フラップ（７）の差込孔（１５ａ、１５ａ）に、切込み（１６ａ，１６ｂ）を押し込むことで、先に閉じられた前記短辺側のフラップ（７）の下に係止爪部（１４ａ，１４ｂ）が重なるように係合させ、底板形成用フラップ（６，８）に設けた差込孔（１７ａ，１７ｂ）に台形状フラップの先端部（５ａ）を押し込んで、底板形成用フラップ（６，８）の下で前記フラップの先端部（５ａ）と底板形成用フラップ（７）の先端が突き合わせとなるように構成したことを特徴とするものである。
【０００７】
又本考案においては、底板形成用フラップ（７）の略Ｌ形または逆Ｌ形の差込孔（１５ａ、１５ａ）のそれぞれの外側に、罫線（１５ｃ）を介して外れ止め片（１５ｂ，１５ｂ）を連設したことを特徴としている。さらに又本考案においては、底板形成用フラップ（６，８）はその連設線と平行な罫線（１３，１３）より折り曲げうるように形成され、且つそのフラップ（６，８）の先端よりに設けた差込孔（１７ａ，１７ｂ）には切り込みとの間が短辺側のフラップ６，８の先端に向って広がるように罫線（１７ｃ，１７ｃ）を形成し、該罫線を介して外れ止め片（１７ｄ）を設けたことを特徴としている。
【考案の効果】
【０００８】
本考案の包装箱は、底板の組立てのために接着剤や封緘金具の固定部は不要であり、先に閉じた長辺側底板形成用フラップの差込孔（１５ａ、１５ａ）に、切込み（１６ａ，１６ｂ）を押し込むことで、先に閉じられた前記短辺側のフラップの下に係止爪部（１４ａ，１４ｂ）が重なるように係合させてロックし、また、短辺側底板形成用フラップに設けた差込孔（１７ｂ，１７ｂ）に台形状のフラップの先端部（５ａ）を押し込んで、底板形成用フラップ（６，８）の下で前記フラップの先端部（５ａ）と底板形成用フラップ（７）の先端が突き合わせとするという極めて簡単な作業で底板の組立てが行えるものである。
また、底板形成用フラップ（７）の略Ｌ形または逆Ｌ形をした差込孔（１５ａ、１５ａ）のそれぞれの外側に、罫線を介して外れ止め片（１５ｂ，１５ｂ）を連設し、また底板形成用フラップ（６，８）はその連設線と平行な罫線（１３，１３）より折り曲げうるように形成され、且つそのフラップ（６，８）の先端よりに設けた切込み（１７ａ，１７ａ）の外側に切り込みとの間が短辺側のフラップ６，８の先端に向って広がるように罫線（１７ｃ，１７ｃ）を形成し、該罫線を介して外れ止め片（１７ｄ）を設けたので、底板形成用フラップ（７）が差込孔（１５ａ、１５ａ）から抜け難くなり、底板形成用フラップ（６，８）は差込孔（１７ａ，１７ｂ）から抜け難くなる。
【考案を実施するための最良の形態】
【０００９】
次に、本考案の実施の形態を図面に基づいて説明するが、この包装箱は、にんじん、大根、キャベツなどの箱底面に相当な荷重がかかる青果物を出荷する場合に好適である。しかし本考案の箱は青果物に限定されるものではない。
【００１０】
図１は、本考案の第１の実施例を示す段ボール箱のシート（ブランクと称する）を示すものである。このブランクは、一例としてほぼ長方形をした１枚の段ボールシートより形成されている。
【００１１】
本実施の形態に示す箱は、前記シートの中央部に、箱の対向する各側面のうち長い面（長手面）を構成する一組の長辺側の側板１、３と、短い面（幅面）を構成する一組の短辺側の側板２、４が折線を介し一方向に連接されている。また一対の短側板２、４にはその中央上部に手掛け穴が設けられている。そして側板１、３及び２、４の下部には底板形成用フラップ５、７及び６，８が折線を介して連接されている。また各一対の側板１、３および２、４の上部には上蓋形成用フラップ９、１１及び１０、１２が折線を介して連接されている。
【００１２】
底板形成用フラップ５、７及び６，８には、底面封緘時に相当の荷重がかかっても底面が落ち込んで開くことない、つぎのような構成の底面複合ロック機構が形成されている。すなわち長辺側の対向側板１，３の下端に連設された底板形成用フラップ５，７は、短辺側の対向側板２，４の幅方向中央部において先端同士が互いに突き合わせ状態となるような大きさに形成し、一方のフラップ５の先端部は先窄まりの略台形状５ａに形成されている。他方のフラップ７は矩形であるが、中央部に略Ｌ形または逆Ｌ形の、互いに向き合う１組の差込孔１５ａ、１５ａを設けている。
【００１３】
一方、短辺側の対向側板２，４の下端に連設された底板形成用フラップ６，８は、その一側辺にそのフラップの先端角部を挟んで１組の切込み１６ａ，１６ｂを設けることで、略三角をした係止爪部１４ａ，１４ｂを設ける。また、そのフラップの先端側略中央位置には切込み１７ａ，１７ｂを設けた構成となっている。切込み１７ａ，１７ｂの外側に切込みとの間が短辺側のフラップ６，８の先端に向って広がるように罫線１７ｃ，１７ｃを形成し、該罫線を介して外れ止め片１７ｄを設けた構成となっている。
なお符号１９、１９ａは、側板１の端部に連接した糊代と、その端に設けた糊代である。
【００１４】
次にブランクの組み立て方について説明すると、まず４枚の側板１，３，２，４を糊代１９、１９ａを介して角筒状に連繋する（図２）。その後、先に閉じた前記底板形成用フラップ７の差込孔１５ａ、１５ａに、切込み１６ａ，１６ａが噛み合うように押し込むことで、先に閉じられた前記短辺側のフラップ７の下に、略三角の係止爪部１４ａ，１４ｂが重なるように係合させて図３、図４に示したようにロックする（1次ロック）。
続いて、底板形成用フラップ６，８を図5のように内側に押し込み、その後該フラップ６，８に設けた切込み１７ａ，１７ｂに台形状のフラップの先端部５ａを図６のように押し込んで、底板形成用フラップ６，８の下で前記フラップの先端部５ａと底板形成用フラップ７の先端が突き合わせとなるようにする（２次ロック）。
【００１５】
このようにして底面を組み立てた後、上蓋形成用フラップ９，１１および１０，１２を広げ、箱内に青果物を収容する。フラップ９，１１，１０，１２により天面を封緘する場合は、図７〜９に示すように、まず長辺側のフラップ９を内側に９０度折り曲げ、続いて短辺側のフラップ１２をその上に重ねるように折り曲げる。さらに続いて、短辺側フラップ１２の上に重なるように長辺側のフラップ１１を折り曲げ、最後に残りのフラップ１０を連設線と平行な罫線２０より折り曲げる。長辺側のフラップ９は、その一端よりに斜めの罫線２１と切除部２２を有している。一方、フラップ１０は切除部２２に対応する切除部２３を有している。そして封緘時には、罫線２０によりを前記フラップ９と１１の上に重ねるように折り曲げると共に、前記フラップ９の一端に設けた切除部２２に、これと隣接するフラップ１０の他端に設けた切除部２３を差し込むことにより天面のフラップ９〜１２が互いに係合して封緘されるようになっている。このようにして箱の天面を封緘するときは、天面フラップの重ね合せ部（天面の四隅）を封緘金具で止めて封緘した場合と同様に、内外フラップの開きを防止する作用を奏する。そればかりでなく内部に野菜が一杯に詰まっていても、内部の野菜を傷つけることなく封緘作業が行える。
【００１６】
なお、箱天面を開封するときは、フラップ１０の切除部先端を把持して上方向に引き上げると、罫線２０を折線としてフラップ２０が折り曲がりながら、さらに上方に引き上げられるため、切除部２２と２３のロックが外れて、箱の天面を容易に開封することができる。
【００１７】
以上詳しく述べたように本考案の箱の構成によれば、封緘金具やテープ等の封緘用資材の使用を廃止して、箱組立時の作業性と廃棄時の分別作業性や環境問題を解決すると同時に、底面に相当の荷重がかかっても内外フラップが落ち込んで箱が開くことが防止できる複合ロックを備えた封緘力の高い野菜類の収納箱を提供することができるものである。
【図面の簡単な説明】
【００１８】
【図１】本発明による箱の一実施例を示すブランクの平面図である。
【図２】同上実施例の箱の底面を組立てる場合の最初の斜視図である。
【図３】同上実施例の箱の１次ロック機構の組立て斜視図である。
【図４】同上実施例の箱の１次ロック機構の途中の係合状況を示した部分拡大図である。
【図５】同上実施例の箱の２次ロック機構の部分の組立て斜視図である。
【図６】同上実施例の箱の２次ロック機構の組立て斜視図である。
【図７】同上実施例の箱の上蓋を形成する途中の斜視図である。
【図８】同上実施例の箱の上蓋を形成する途中の斜視図である。
【図９】同上実施例の箱の上蓋を形成した完成状態の斜視図である。
【符号の説明】
【００１９】
１、２、３、４  側板
５、６、７、８  底板形成用フラップ
９、１０、１１，１２  上蓋形成用フラップ
１３  罫線
１４ａ、１４ｂ  係止爪部
１５ａ  差込孔
１６ａ，１６ｂ  切込み
１７ａ，１７ｂ  差込孔
【図１】
0003146574.tif 000003
【図２】
0003146574.tif 000004
【図３】
0003146574.tif 000005
【図４】
0003146574.tif 000006
【図５】
0003146574.tif 000007
【図６】
0003146574.tif 000008
【図７】
0003146574.tif 000009
【図８】
0003146574.tif 000010
【図９】
0003146574.tif 000011